【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部と、
識別した前記ユーザの携帯端末からのアクセスに応じて、前記購入候補商品データに含まれる商品の情報を前記携帯端末へ出力する出力部と
を備えた販売促進装置。
【請求項２】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部と、
識別した前記ユーザが会計する際に、表示装置に前記購入候補商品データに含まれる商品の情報を表示させる表示制御部と
を備えた販売促進装置。
【請求項３】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部とを備え、
前記購入候補商品データとして管理する商品の情報は、前記ユーザが購入を躊躇した商品の情報である
販売促進装置。
【請求項４】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部とを備え、
前記購入候補商品データとして管理する商品の情報は、前記ユーザが棚に戻した商品の情報である
販売促進装置。
【請求項５】
前記購入情報管理部は、来店した前記ユーザの特定の動作に基づいて、前記購入候補商品データを表示するときの、識別した前記商品の情報の表示順位を設定する請求項１乃至４のいずれか１項記載の販売促進装置。
【請求項６】
前記購入情報管理部は、来店した前記ユーザの特定の動作に基づいて、識別した前記商品の情報を前記購入候補商品データに追加しない、または、識別した前記商品の情報を前記購入候補商品データから削除する請求項１乃至５のいずれか１項記載の販売促進装置。
【請求項７】
前記特定の動作には、来店した前記ユーザの発声が含まれる請求項５または請求項６記載の販売促進装置。
【請求項８】
前記購入情報管理部は、識別した前記商品の情報に対応する関連商品の情報を検索して、識別した前記ユーザの関連商品データとして管理する請求項１乃至請求項７のいずれか１項に記載の販売促進装置。
【請求項９】
前記購入情報管理部は、識別した前記ユーザが会計に来たとき、または、識別した前記ユーザがネットワークを介して情報を要求したときに、前記購入候補商品データを出力する請求項１乃至請求項８のいずれか１項に記載の販売促進装置。
【請求項１０】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部と、
識別した前記ユーザの携帯端末からのアクセスに応じて、前記購入候補商品データに含まれる商品の情報を前記携帯端末へ出力する出力部と
を備えた情報処理装置。
【請求項１１】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部と、
識別した前記ユーザが会計する際に、表示装置に前記購入候補商品データに含まれる商品の情報を表示させる表示制御部と
を備えた情報処理装置。
【請求項１２】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部とを備え、
前記購入候補商品データとして管理する商品の情報は、前記ユーザが購入を躊躇した商品の情報である
情報処理装置。
【請求項１３】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部と、
識別した前記商品の情報を、識別した前記ユーザの購入候補商品データとして管理する購入情報管理部とを備え、
前記購入候補商品データとして管理する商品の情報は、前記ユーザが棚に戻した商品の情報である
情報処理装置。
【請求項１４】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部とを有する販売促進装置と、
識別した前記商品の情報を、識別した前記ユーザの購入候補商品データとして管理する購入情報管理部と、
識別した前記ユーザの携帯端末からのアクセスに応じて、前記購入候補商品データに含まれる商品の情報を前記携帯端末へ出力する出力部とを有する情報処理装置と、
を備えた情報処理システム。
【請求項１５】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部とを有する販売促進装置と、
識別した前記商品の情報を、識別した前記ユーザの購入候補商品データとして管理する購入情報管理部と、
識別した前記ユーザが会計する際に、表示装置に前記購入候補商品データに含まれる商品の情報を表示させる表示制御部とを有する情報処理装置と
を備えた情報処理システム。
【請求項１６】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部とを有する販売促進装置と、
識別した前記商品の情報を、識別した前記ユーザの購入候補商品データとして管理する購入情報管理部を有する情報処理装置と
を備え、
前記購入候補商品データとして管理する商品の情報は、前記ユーザが購入を躊躇した商品の情報である
情報処理システム。
【請求項１７】
来店したユーザを識別するユーザ情報識別部と、
来店した前記ユーザが商品に手を触れたときの画像または商品を手に取ったときの画像に基づいて、手を触れた前記商品または手に取った前記商品を識別する商品識別部とを有する販売促進装置と、
識別した前記商品の情報を、識別した前記ユーザの購入候補商品データとして管理する購入情報管理部を有する情報処理装置と
を備え、
前記購入候補商品データとして管理する商品の情報は、前記ユーザが棚に戻した商品の情報である
情報処理システム。
【請求項１８】
販売促進装置が実行する販売促進方法であって、
来店したユーザを識別するステップと、
来店した前記ユーザが商品に手を触れたときの画像または商品を手に取ったときの画像に基づいて、手を触れた前記商品または手に取った前記商品を識別するステップと、
識別した前記商品の情報を、識別した前記ユーザの購入候補商品データとして管理するステップと、
識別した前記ユーザの携帯端末からのアクセスに応じて、前記購入候補商品データに含まれる商品の情報を前記携帯端末へ出力するステップと
を有する販売促進方法。
【請求項１９】
販売促進装置が実行する販売促進方法であって、
来店したユーザを識別するステップと、
来店した前記ユーザが商品に手を触れたときの画像または商品を手に取ったときの画像に基づいて、手を触れた前記商品または手に取った前記商品を識別するステップと、
識別した前記商品の情報を、識別した前記ユーザの購入候補商品データとして管理するステップと、
識別した前記ユーザが会計する際に、表示装置に前記購入候補商品データに含まれる商品の情報を表示させるステップと
を有する販売促進方法。
【請求項２０】
販売促進装置が実行する販売促進方法であって、
来店したユーザを識別するステップと、
来店した前記ユーザが商品に手を触れたときの画像または商品を手に取ったときの画像に基づいて、手を触れた前記商品または手に取った前記商品を識別するステップと、
識別した前記商品の情報を、識別した前記ユーザの購入候補商品データとして管理するステップとを有し、
前記購入候補商品データとして管理する商品の情報は、前記ユーザが購入を躊躇した商品の情報である
販売促進方法。
【請求項２１】
販売促進装置が実行する販売促進方法であって、
来店したユーザを識別するステップと、
来店した前記ユーザが商品に手を触れたときの画像または商品を手に取ったときの画像に基づいて、手を触れた前記商品または手に取った前記商品を識別するステップと、
識別した前記商品の情報を、識別した前記ユーザの購入候補商品データとして管理するステップとを有し、
前記購入候補商品データとして管理する商品の情報は、前記ユーザが棚に戻した商品の情報である
販売促進方法。
【請求項２２】
コンピュータに、
来店したユーザを識別する手順と、
来店した前記ユーザが商品に手を触れたときの画像または商品を手に取ったときの画像に基づいて、手を触れた前記商品または手に取った前記商品を識別する手順と、
識別した前記商品の情報を、識別した前記ユーザの購入候補商品データとして管理する手順と、
識別した前記ユーザの携帯端末からのアクセスに応じて、前記購入候補商品データに含まれる商品の情報を前記携帯端末へ出力する手順と
を実行させるためのプログラム。
【請求項２３】
コンピュータに、
来店したユーザを識別する手順と、
来店した前記ユーザが商品に手を触れたときの画像または商品を手に取ったときの画像に基づいて、手を触れた前記商品または手に取った前記商品を識別する手順と、
識別した前記商品の情報を、識別した前記ユーザの購入候補商品データとして管理する手順と、
識別した前記ユーザが会計する際に、表示装置に前記購入候補商品データに含まれる商品の情報を表示させる手順と
を実行させるためのプログラム。
【請求項２４】
コンピュータに、
来店したユーザを識別する手順と、
来店した前記ユーザが商品に手を触れたときの画像または商品を手に取ったときの画像に基づいて、手を触れた前記商品または手に取った前記商品を識別する手順と、
識別した前記商品の情報を、識別した前記ユーザの購入候補商品データとして管理する手順とを実行させるためのプログラムであって、
前記購入候補商品データとして管理する商品の情報は、前記ユーザが購入を躊躇した商品の情報である
プログラム。
【請求項２５】
コンピュータに、
来店したユーザを識別する手順と、
来店した前記ユーザが商品に手を触れたときの画像または商品を手に取ったときの画像に基づいて、手を触れた前記商品または手に取った前記商品を識別する手順と、
識別した前記商品の情報を、識別した前記ユーザの購入候補商品データとして管理する手順とを実行させるためのプログラムであって、
前記購入候補商品データとして管理する商品の情報は、前記ユーザが棚に戻した商品の情報である
プログラム。